(57)【要約】【課題】スポンジボールのような弾性あるボールを研磨するのに適した研磨装置を提供することである。【解決手段】スポンジボール等の弾性あるボール３０を研磨する研磨装置１であって、回転可能な外輪２１とその内側に配置された回転可能な内輪２６を備え、  外輪２１と内輪２６とは互いに偏心しており、外輪２１と内輪２６との間にて弾性あるボール３０を把持可能であり、外輪２１と内輪２６との間に把持された弾性あるボール３０を研磨する回転する研磨手段４０が配置され、内輪２６を回転させて外輪２１と内輪２６との間に把持された弾性あるボール３０を研磨手段４０により研磨すること。【選択図】        図２
2005001078.tif 000002
【特許請求の範囲】
【請求項１】
スポンジボール等の弾性あるボールを研磨する研磨装置であって、
回転可能な外輪とその内側に配置された回転可能な内輪を備え、
前記外輪と内輪との間にて前記弾性あるボールを把持可能であり、
前記外輪と内輪との間に把持された弾性あるボールを研磨する研磨手段が配置され、
前記外輪および内輪のうち少なくとも一方を積極回転させて前記外輪と内輪との間に把持された弾性あるボールを前記研磨手段により研磨することを特徴とする弾性あるボールの研磨装置。
【請求項２】
請求項１に記載した弾性あるボールの研磨装置であって、
前記外輪と内輪が互いに偏心しており、
前記外輪の内周部と内輪の外周部との間隔が狭くなっている箇所にて前記弾性あるボールが前記外輪と内輪により挟まれて変形し、
前記外輪と内輪との間隔が狭くなっている箇所に沿って前記研磨手段が配置されていることを特徴とする弾性あるボールの研磨装置。
【請求項３】
請求項１または２に記載した弾性あるボールの研磨装置であって、
前記研磨手段が回転しつつ前記弾性あるボールを研磨することを特徴とする弾性あるボールの研磨装置。
【請求項４】
請求項１または２に記載した弾性あるボールの研磨装置であって、
前記弾性あるボールを把持してその移動を規制する手段が前記内輪の外周部または前記外輪の内周部に形成された凹部であることを特徴とする弾性あるボールの研磨装置。
【発明の詳細な説明】
【０００１】
【発明の属する技術分野】
本発明は、弾性あるボールを研磨する研磨装置であって、特に火力発電所の復水器の細管を洗浄するのに用いる弾性あるスポンジボール等の研磨に適した研磨装置に関するものである。
【０００２】
【従来の技術】
火力発電所において、発電機を回転させるタービンを駆動した後の蒸気は、復水器にて冷却されて水に戻されていいる。この復水器は、多数の細管に冷却水用の海水を通し、この海水により前記蒸気の熱を奪うように構成されているが、前記細管内に海に生きる生物や汚れが付着すると、前記細管内を海水が通りにくくなるので、前記蒸気の冷却効率が低下し、復水作用が悪化する。
このため、前記細管内の清掃をするために、洗浄用のスポンジボールを前記細管内に入れて通過させている。その際、上記細管内の清掃に使用されてスポンジボールが摩耗し、摩耗したスポンジボールをそのまま再使用すると、前記細管内の清掃効率が低下するので、摩耗したスポンジボールは使用できなくなる。しかし、復水器の細管の径は発電設備により異なるので、比較的径が大きい細管を使用している発電設備用のスポンジボールが摩耗したときに、これを研磨して比較的径が小さい細管を使用している発電設備の細管内の清掃に使用するようにすれば、スポンジボールを再利用することができる。
【０００３】
ここで、ボールを研磨する装置として、固定盤とこの固定盤に対面する平盤回転砥石を具備するボール研磨機がある。（例えば、特許文献１）
【０００４】
【特許文献１】
特開平５−７７１５０号公報
【０００５】
【発明が解決しようとする課題】
しかし、上記ボール研磨機は、セラミックスボールのような硬いボールを研磨するのには適しているが、スポンジボールのような弾性あるボールを研磨した場合には、この弾性あるボールが前記ボール研磨機の内部で変形して踊ってしまうので、弾性あるボールがぼろぼろになってしまうという問題があった。
そこで、本発明が解決しようとする課題は、スポンジボールのような弾性あるボールを研磨するのに適した研磨装置を提供することである。
【０００６】
【課題を解決するための手段】
上記課題を解決するため、請求項１記載の発明は、スポンジボール等の弾性あるボールを研磨する研磨装置であって、回転可能な外輪とその内側に配置された回転可能な内輪を備え、前記外輪と内輪との間にて前記弾性あるボールを把持可能であり、前記外輪と内輪との間に把持された弾性あるボールを研磨する研磨手段が配置され、前記外輪および内輪のうち少なくとも一方を積極回転させて前記外輪と内輪との間に把持された弾性あるボールを前記研磨手段により研磨することを特徴とする弾性あるボールの研磨装置である。
これにより、研磨装置の回転可能な外輪とその内側に配置された回転可能な内輪との間にて把持された前記弾性あるボールを、前記外輪および内輪のうち少なくとも一方を積極回転させて研磨手段により研磨することができる。
【０００７】
さらに、請求項２に記載された発明は、上記請求項１に記載された発明において、前記外輪と内輪が互いに偏心しており、前記外輪の内周部と内輪の外周部との間隔が狭くなっている箇所にて前記弾性あるボールが前記外輪と内輪により挟まれて変形し、前記外輪と内輪との間隔が狭くなっている箇所に沿って前記研磨手段が配置されていることである。
これにより、前記外輪と内輪との偏心により前記外輪の内周部と内輪の外周部との間隔が狭くなっている箇所にて前記弾性あるボールの短径部分が前記外輪と内輪により挟まれ、その長径部分が広がるように変形し、この変形した部分を研磨手段が研磨してその部分の径を短くするので、弾性あるボールを球形に研磨し易くなる。
【０００８】
さらに、請求項３に記載された発明は、請求項１または２に記載した発明において、前記研磨手段が回転しつつ前記弾性あるボールを研磨することである。
これにより、前記研磨手段の回転（例えば円形状の研磨面がその中心軸のまわりに回転すること）により前記弾性あるボールの研磨が一層容易になる。
【０００９】
さらに、請求項４に記載された発明は、請求項１または２に記載した発明において、前記弾性あるボールを把持してその移動を規制する手段が前記内輪の外周部または前記外輪の内周部に形成された凹部であることである。
これにより、前記弾性あるボールを研磨手段で研磨するときに、前記内輪の外周部または前記外輪の内周部に形成された凹部が前記弾性あるボールの踊りを確実に防ぐことができる。
【００１０】
【発明の実施の形態】
以下、図面を参照して本発明の実施の形態を説明する。図１は本発明の実施の形態に係る研磨装置を示し、図２は図１の研磨装置のＩＩ−ＩＩ断面構造を示し、図３は図１の研磨装置のＩＩＩ−ＩＩＩ断面構造を示す。さらに、図４は図１の研磨装置の外輪および内輪の縦断面構造を示す。
【００１１】
図１に示すように、研磨装置１は、互いに対向している２枚の支持板１０、１１を備えている。支持板１１には研磨対象物の投入口５０が設けられ、支持板１０には研磨した後の研磨対象物の排出口６０（図２参照）が設けられている。なお、図３に示すように、投入口５０にホッパー５１等を付設することができる。
【００１２】
図２に示すように、支持板１０、１１（図３参照）は３つの連結部材１２、１３、１４により連結されている。連結部材１２、１３、１４のそれぞれには、ローラー支持部１５、１６、１７が取り付けられ、各ローラー支持部１５、１６、１７には、ローラ−１５ａ、１６ａ、１７ａがそれぞれ回動自在に取り付けられている。
図３に示すように、支持板１０、１１の間に外輪２１が配置され、図４に示すように外輪２１の内側に内輪２６が配置されている。
図２に示すように、各ローラ−１５ａ、１６ａ、１７ａは外輪２１の円形の外周部２４を三等分する位置に配置されているので、各ローラ−１５ａ、１６ａ、１７ａは外輪２１の外周部２４を回動自在に支えている。なお、外周部２４の両側端にはフランジ部２４ａ、２４ｂ（図３参照）が形成されているので、このフランジ部２４ａ、２４ｂが各ローラー１５ａ、１６ａ、１７ａの両側のガイドとなっている。
【００１３】
図３に示すように、支持板１０に固定された軸受取付部１０ａに軸受１０ｂが固定され、支持板１１に固定された軸受取付部１１ａに軸受１１ｂが固定されている。そして、内輪２６の中心軸２７が軸受１０ｂと軸受１１ｂに回動自在に支持されている。なお、外輪２１の回転中心２２と内輪２６の中心軸２７が互いに偏心している。そして、中心軸２７が歯車２７ａとウォームギヤ２７ｂの組み合わせ等の減速手段を介して図示しないモータ等の駆動源により回転可能に構成されている。
【００１４】
図２に示すように、内輪２６の円形の外周部２８には、複数の凹部２９がほぼ等間隔に形成されている。各凹部２９には研磨対象となるスポンジボール等の弾性あるボール３０が収容可能である。各凹部２９に収容された弾性あるボール３０が外輪２１の円形の内周部２３と内輪２６の凹部２９との間にて把持され、外輪２１の内周部２３と内輪２６の外周部２８との間隔が狭くなっている箇所にて外輪２１の内周部２３と内輪２６の凹部２９により挟まれて変形する。
【００１５】
上述のように外輪２１と内輪２６との間に把持された弾性あるボール３０を研磨する研磨手段４０が外輪２１と内輪２６との間隔が狭くなっている箇所に沿って配置されている。図３に示すように、研磨手段４０は外輪２１および内輪２６（図４参照）を挟むように配置された円板状の回転板４１、４２を備え、回転板４１、４２の共通の回転軸４３が支持板１０、１１に回転自在に保持されている。なお、回転板４１、４２を配設するための凹部１０ｃ、１１ｃがそれぞれ支持板１０、１１に形成されている。そして、回転板４１、４２の外輪２１および内輪２６側表面には、それぞれ紙やすり４１ａ、４２ａが貼付されている。このため、図示しないモータ等により回転軸４３を例えば矢印４０ｘ（図２参照）の方向に回転させると、紙やすり４１ａ、４２ａが回転しつつ外輪２１と内輪２６との間に把持された弾性あるボール３０を研磨することができる。
【００１６】
以上の構成の研磨装置１は、以下のように動作する。
まず、ホッパー５１等から研磨装置１の投入口５０に弾性あるボール３０を投入すると、外輪２１と内輪２６との間にて弾性あるボール３０が把持される。そして、前記図示しないモータ等の駆動源により歯車２７ａとウォームギヤ２７ｂの組み合わせ等の減速手段を介して内輪２６を矢印２６ｘ（図２参照）の方向に回転させると、研磨手段４０の紙やすり４１ａ、４２ａが弾性あるボール３０を研磨することができる。なお、その際、外輪２１は弾性あるボール３０を介して内輪２６の回転力を受けるので、内輪２６の回転に従属して内輪２６と同様に回転する。
【００１７】
さらに、外輪２１と内輪２６が互いに偏心しており、外輪２１の内周部２３と内輪２６の外周部２８との間隔が狭くなっている箇所にて弾性あるボール３０の短径部分３１（図２参照）が外輪２１と内輪２６により挟まれ、その長径部分が広がるように変形し、この変形した部分を研磨手段４０の紙やすり４１ａ、４２ａが研磨してその部分の径を短くするので、弾性あるボール３０を球形に研磨し易くなる。
さらに、研磨手段４０の紙やすり４１ａ、４２ａが矢印４０ｘ（図２参照）の方向に回転することにより弾性あるボール３０の研磨が一層容易になる。
さらに、弾性あるボール３０を研磨手段４０で研磨するときに、内輪２６の外周部２８に形成された凹部２９が弾性あるボール３０の踊りを確実に防ぐことができる。
以上のようにして研磨された弾性あるボール３０は、内輪２６の上記回転により排出口６０に運ばれ、排出口６０から排出される。
【００１８】
そして、研磨装置１で研磨されて排出口６０から排出された弾性あるボール３０の径を篩等により検査し、所望の径にまで研磨されていない弾性あるボール３０を再度ホッパー５１から研磨装置１に入れて研磨することを繰り返すことにより弾性あるボール３０を所望の径にすることができる。なお、その際、弾性あるボール３０が研磨装置１で研磨される都度、その短径部分３１が把持されてその長径部分が広がるように変形し、この変形した部分が研磨されるので、弾性あるボール３０を球形に研磨し易くなる。
【００１９】
なお、上記実施の形態において、研磨手段４０として回転する紙やすり４１ａ、４２ａを使用しているが、これに限らず、弾性あるボール３０を研磨することができるものであればよい。
また、研磨手段４０は外輪２１および内輪２６のうち少なくともどちらか一方を回転させて外輪２１と内輪２６との間に把持された弾性あるボール３０を研磨することができる。
また、外輪２１を積極回転させるときには、内輪２６の外周部２８の凹部２９の代わりに弾性あるボール３０を把持してその移動を規制する凹部を外輪２１の内周部２３に形成することができる。
【００２０】
【発明の効果】
請求項１記載の発明によれば、スポンジボール等の弾性あるボールを容易に研磨してその外形を球状にすることができる。このため、例えば、火力発電所の復水器に設けられた多数の細管内の清掃に使用するスポンジボールの表面を研磨してこれを少し径の小さいスポンジボールとして再生して前記復水器のうち細い径の細管の清掃に使用することができる。
さらに、請求項２記載の発明によれば、上記請求項１記載の発明の効果とともに、弾性あるボールを研磨してその外形を球形にすることが一層容易になる。
さらに、請求項３記載の発明によれば、上記請求項１または２記載の発明の効果とともに、弾性あるボールの研磨を一層効率よく行うことができる。
さらに、請求項４記載の発明によれば、上記請求項１または２記載の発明の効果とともに、弾性あるボールの研磨を円滑に行うことができる。
【図面の簡単な説明】
【図１】本発明の実施の形態に係る弾性あるボールの研磨装置の概略を示す斜視図である。
【図２】図１に示す研磨装置のＩＩ−ＩＩ縦断を示す断面図である。
【図３】図１に示す研磨装置のＩＩＩ−ＩＩＩ縦断を示す断面図である。
【図４】図１に示す研磨装置の外輪および内輪の縦断面構造を示す断面図である。
【符号の説明】
１  研磨装置
２１  外輪
２２  回転中心
２３  内周部
２６  内輪
２７  中心軸
２８  外周部
２９  凹部
３０  弾性あるボール
４０  研磨手段
４１ａ、４２ａ  紙やすり
４３  回転軸
【図１】
2005001078.tif 000003
【図２】
2005001078.tif 000004
【図３】
2005001078.tif 000005
【図４】
2005001078.tif 000006